【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
記録用紙表面に表面画像の転写処理を行うとともに加熱及び加圧により定着処理を行う表面出力工程と、前記表面出力工程の後に、記録用紙裏面に裏面画像の転写処理を行うとともに加熱及び加圧により定着処理を行う裏面出力工程と、を含む画像出力方法であって、
前記表面画像に対応する画像データと、前記裏面画像に対応する画像データに対して、予め異なった処理条件で色変換を施しておく色変換工程と、
を含むこと、
を特徴とする画像出力方法。
【請求項２】
前記色変換工程では、
前記裏面画像に対応する画像データに対し、前記表面出力工程後に転写処理が行われた場合の画像濃度変化及び色調変化を加味した処理条件で色変換を施すこと、
を特徴とする請求項１記載の画像出力方法。
【請求項３】
予め、記録用紙の両面に出力された画像をそれぞれ測色しておき、当該測色の結果に基づいて前記処理条件を生成する処理条件生成工程をさらに含むこと、
を特徴とする請求項２記載の画像出力方法。
【請求項４】
前記色変換工程では、
画像データ上での網％に対する画像上での網％を表したドットゲインカーブを使用して色変換を行い、
前記裏面画像に対応する画像データに対しては、前記表面出力工程後に転写処理が行われた場合の画像濃度変化及び色調変化を加味した処理条件を有するドットゲインカーブを使用して色変換を施すこと、
を特徴とする請求項１記載の画像出力方法。
【請求項５】
前記色変換工程では、
複数の出力色分解画像情報の各組合せに対する表色系の値を規定する出力色側デバイスプロファイルを使用して色変換を行い、
前記裏面画像に対応する画像データに対しては、前記表面出力工程後に転写処理が行われた場合の画像濃度変化及び色調変化を加味した処理条件を有する出力色側デバイスプロファイルを使用して色変換を施すこと、
を特徴とする請求項１記載の画像出力方法。
【請求項６】
前記色変換工程では、
複数の入力色分解画像情報の各組合せに対する複数の出力色分解画像情報の各組合せを規定するデバイスリンクプロファイルを使用して色変換を行い、
前記裏面画像に対応する画像データに対しては、前記表面出力工程後に転写処理が行われた場合の画像濃度変化及び色調変化を加味した処理条件を有する裏面用のデバイスリンクプロファイルを使用して色変換を施すこと、
を特徴とする請求項１記載の画像出力方法。
【請求項７】
前記デバイスリンクプロファイルは、
各入力色分解画像情報に対応した１次元入力テーブルと、
各入力色分解画像情報の各組合せに対する各出力色分解画像情報の各組合せに対応した４次元ルックアップテーブルと、
各出力色分解画像情報に対応した１次元出力テーブルと、
を含み、
前記裏面用のデバイスリンクプロファイルは、
表面用のデバイスリンクプロファイルとの差分を、前記１次元入力テーブル及び前記１次元出力テーブル、又はどちらか一方に有し、当該差分に前記処理条件が反映されていること、
を特徴とする請求項６記載の画像出力方法。
【請求項８】
表面に表面画像を出力し裏面に裏面画像を出力した記録用紙を中折り・中綴じする製本工程を更に含むこと、
を特徴とする請求項１乃至７のいずれか記載の画像出力方法。
【請求項９】
記録用紙表面に表面画像出力処理として表面画像の転写処理を行うとともに加熱及び加圧により定着処理を行い、前記表面画像の前記転写処理及び前記定着処理の後に、記録用紙裏面に裏面画像出力処理として裏面画像の転写処理を行うとともに加熱及び加圧により定着処理を行う画像形成装置に対し、前記表面画像及び前記裏面画像に対応する画像データを送出する画像出力制御装置であって、
前記表面画像に対応する画像データと、前記裏面画像に対応する画像データに対して、予め異なった処理条件で色変換を施す色変換手段を備えること、
を特徴とする画像出力制御装置。
【請求項１０】
表面画像及び裏面画像に対応する画像データを解析加工し、記録用紙表面に表面出力処理として前記表面画像の転写処理を行うとともに加熱及び加圧により定着処理を行い、前記表面画像の前記転写処理及び前記定着処理の後に、記録用紙裏面に裏面出力処理として前記裏面画像の転写処理を行うとともに加熱及び加圧により定着処理を行う画像出力システムであって、
前記表面画像に対応する画像データと、前記裏面画像に対応する画像データに対して、予め異なった処理条件で色変換を施す色変換手段を備えること、
を特徴とする画像出力システム。
【請求項１１】
記録用紙表面に表面出力処理として表面画像の転写処理を行うとともに加熱及び加圧により定着処理を行い、前記表面画像の前記転写処理及び前記定着処理の後に、記録用紙裏面に裏面出力処理として裏面画像の転写処理を行うとともに加熱及び加圧により定着処理を行う画像形成装置に対し、前記表面画像及び前記裏面画像に対応する画像データを送出する画像出力制御装置を、
前記表面画像に対応する画像データと、前記裏面画像に対応する画像データに対して、予め異なった処理条件で色変換を施す色変換手段として機能させること、
を特徴とする画像出力プログラム。
【手続補正２】
【補正対象書類名】明細書
【補正対象項目名】発明の名称
【補正方法】変更
【補正の内容】
【発明の名称】画像出力方法、画像出力制御装置、画像出力システム、画像出力プログラム
【手続補正３】
【補正対象書類名】明細書
【補正対象項目名】００１４
【補正方法】変更
【補正の内容】
【００１４】
上記課題を解決するために、請求項１０記載の発明は、表面画像及び裏面画像に対応する画像データを解析加工し、記録用紙表面に表面出力処理として前記表面画像の転写処理を行うとともに加熱及び加圧により定着処理を行い、前記表面画像の前記転写処理及び前記定着処理の後に、記録用紙裏面に裏面出力処理として前記裏面画像の転写処理を行うとともに加熱及び加圧により定着処理を行う画像出力システムであって、前記表面画像に対応する画像データと、前記裏面画像に対応する画像データに対して、予め異なった処理条件で色変換を施す色変換手段を備えること、を特徴とする。
【手続補正４】
【補正対象書類名】明細書
【補正対象項目名】００１５
【補正方法】変更
【補正の内容】
【００１５】
上記課題を解決するために、請求項１１記載の発明は、記録用紙表面に表面出力処理として表面画像の転写処理を行うとともに加熱及び加圧により定着処理を行い、前記表面画像の前記転写処理及び前記定着処理の後に、記録用紙裏面に裏面出力処理として裏面画像の転写処理を行うとともに加熱及び加圧により定着処理を行う画像形成装置に対し、前記表面画像及び前記裏面画像に対応する画像データを送出する画像出力制御装置を、前記表面画像に対応する画像データと、前記裏面画像に対応する画像データに対して、予め異なった処理条件で色変換を施す色変換手段として機能させること、を特徴とする。
【手続補正５】
【補正対象書類名】明細書
【補正対象項目名】００１６
【補正方法】変更
【補正の内容】
【００１６】
また、色変換では、裏面画像に対応する画像データに対し、表面出力後に転写処理が行われた場合の画像濃度変化及び色調変化を加味した処理条件で色変換を施すようにしてもよい（請求項２記載の発明に相当）。
【手続補正６】
【補正対象書類名】明細書
【補正対象項目名】００１７
【補正方法】変更
【補正の内容】
【００１７】
また、予め、記録用紙の両面に出力された画像をそれぞれ測色しておき、当該測色の結果に基づいて処理条件を生成するようにしてもよい（請求項３記載の発明に相当）。
【手続補正７】
【補正対象書類名】明細書
【補正対象項目名】００１８
【補正方法】変更
【補正の内容】
【００１８】
また、色変換では、画像データ上での網％に対する画像上での網％を表したドットゲインカーブを使用して色変換を行い、裏面画像に対応する画像データに対しては、表面出力後に転写処理が行われた場合の画像濃度変化及び色調変化を加味した処理条件を有するドットゲインカーブを使用して色変換を施すようにしてもよい（請求項４記載の発明に相当）。
【手続補正８】
【補正対象書類名】明細書
【補正対象項目名】００１９
【補正方法】変更
【補正の内容】
【００１９】
また、色変換では、複数の出力色分解画像情報の各組合せに対する表色系の値を規定する出力色側デバイスプロファイルを使用して色変換を行い、裏面画像に対応する画像データに対しては、表面出力後に転写処理が行われた場合の画像濃度変化及び色調変化を加味した処理条件を有する出力色側デバイスプロファイルを使用して色変換を施すようにしてもよい（請求項５記載の発明に相当）。
【手続補正９】
【補正対象書類名】明細書
【補正対象項目名】００２０
【補正方法】変更
【補正の内容】
【００２０】
また、色変換では、複数の入力色分解画像情報の各組合せに対する複数の出力色分解画像情報の各組合せを規定するデバイスリンクプロファイルを使用して色変換を行い、裏面画像に対応する画像データに対しては、表面出力後に転写処理が行われた場合の画像濃度変化及び色調変化を加味した処理条件を有するデバイスリンクプロファイルを使用して色変換を施すようにしてもよい（請求項６記載の発明に相当）。
【手続補正１０】
【補正対象書類名】明細書
【補正対象項目名】００２１
【補正方法】変更
【補正の内容】
【００２１】
また、デバイスリンクプロファイルは、各入力色分解画像情報に対応した１次元入力テーブルと、各入力色分解画像情報の各組合せに対する各出力色分解画像情報の各組合せに対応した４次元ルックアップテーブルと、各出力色分解画像情報に対応した１次元出力テーブルと、を含み、裏面用のデバイスリンクプロファイルは、表面用のデバイスリンクプロファイルとの差分を、前記１次元入力テーブル及び前記１次元出力テーブル、又はどちらか一方に有し、当該差分に前記処理条件が反映されているようにしてもよい（請求項７記載の発明に相当）。
【手続補正１１】
【補正対象書類名】明細書
【補正対象項目名】００２２
【補正方法】変更
【補正の内容】
【００２２】
また、表面に表面画像を出力し裏面に裏面画像を出力した記録用紙を中折り・中綴じする製本を行うようにしてもよい（請求項８記載の発明に相当）。
【手続補正１２】
【補正対象書類名】明細書
【補正対象項目名】００２３
【補正方法】削除
【補正の内容】